(57)【要約】【課題】  従来、小額で商品を入手することが困難で、提供者側も、商品を安定した価格で流通させることができず、売上げを早期に得ることができなかった。【解決手段】  ユーザ端末とネットワークを介して通信接続される抽選管理用のサーバシステムを備え、ユーザが、ユーザ端末を操作して、商品又はサービスの抽選への参加に必要なポイントをネットワークを介して購入し、購入したポイントと引換えに所望の商品又はサービスの抽選参加権を取得し、サーバシステムが、商品又はサービス毎に、抽選開始時刻や抽選開始定員等の抽選開始条件を管理し、前記抽選開始条件を充足した場合に抽選を実施する。サーバシステムにデータベースを設け、ユーザの個人情報等を管理させたりする。ユーザにユーザＩＤ、パスワード等を付与し、登録ユーザか否かを認証し、登録ユーザのみにアクセスを許可することもできる。抽選の様子の画面で鑑賞することもできる。【選択図】図１
2006139653.tif 000002
【特許請求の範囲】
【請求項１】
次の１の構成を備え、２〜１１のステップを実行可能としたことを特徴とするネットワークを用いた抽選システム。
１．ユーザ端末と、ユーザ端末とネットワークを介して通信接続される抽選管理用のサーバシステムを備え、
２．ユーザが、ユーザ端末から前記サーバシステムにアクセスするステップと、
３．前記サーバシステムが、商品又はサービス（以下「商品」とする。）の抽選への参加に必要なポイントの販売画面をユーザ端末に表示するステップと、
４．ユーザが、商品の抽選への参加に必要なポイントを購入するポイント購入希望情報をサーバシステムに送信するステップと、
５．サーバシステムが、購入希望情報を受信した後に、ポイント購入に必要な料金が決済されるステップと、
６．サーバシステムが、決済後にユーザに希望数のポイントを付与するステップと、
７．サーバシステムが、商品選択画面をユーザ端末に表示するステップと、
８．ユーザが商品選択画面から抽選への参加を希望する商品を選択して抽選への参加希望情報をサーバシステムに送信するステップと、
９．前記参加希望情報を受信したサーバシステムが、ユーザの所有するポイントのうち当該商品の抽選への参加に必要なポイントと引換えに、当該商品の抽選参加権をユーザに付与するステップと、
１０．サーバシステムが、商品毎に、抽選開始日時、抽選開始定員、抽選開始ポイント等の抽選開始条件を管理し、抽選開始条件が充足されると抽選が実施されるステップと、
１１．抽選に当選したユーザに当選通知をするステップ又は／及び当選商品を提供するステップ。
【請求項２】
請求項１記載のネットワークを用いた抽選システムにおいて、次の１〜７のステップを実行可能としたことを特徴とするネットワークを用いた抽選システム。
１．サーバシステムにデータベースが設けられ、
２．サーバシステムから氏名、性別、年齢、商品の提供先の住所、メールアドレス、決済のためのクレジットカード番号等の個人情報を入力するための個人情報入力画面がユーザ端末に表示されるステップと、
３．ユーザが個人情報を入力してサーバシステムに送信するステップと
４．ユーザから送信された個人情報をデータベースに登録するステップと、
５．登録されたユーザ（以下「登録ユーザ」という。）の端末にサーバシステムからユーザＩＤ、パスワード等を通知するステップと、
６．サーバシステムが、ユーザからのサーバシステムへのアクセス時に、ユーザＩＤ、パスワード等の入力を求め、ユーザの入力したユーザＩＤ、パスワード等が登録ユーザのものか否かを認証し、登録ユーザであればアクセスを許可するステップと、
７．サーバシステムが、データベースでユーザ所有のポイントの増減、抽選参加履歴、抽選結果履歴等のユーザ情報を管理するステップ。
【請求項３】
請求項１又は請求項２記載のネットワークを用いた抽選システムにおいて、サーバシステムから抽選の様子がユーザ端末に送られ、ユーザ端末でその様子を見ることができることを特徴とするネットワークを用いた抽選システム。
【請求項４】
請求項１乃至請求項３のいずれかに記載のネットワークを用いた抽選システムにおいて、商品選択画面に、商品が各種カテゴリ別に分類されて表示されることを特徴とするネットワークを用いた抽選システム。
【請求項５】
請求項１乃至請求項４のいずれかに記載のネットワークを用いた抽選システムにおいて、サーバシステムが、データベースに登録されている各ユーザの抽選の落選回数、通算抽選参加回数、通算ポイント購入額等の情報に応じて、ユーザに相当の数のサービスポイントを付与したり、当選率を上昇させたりする等の優遇措置を与えることを特徴とするネットワークを用いた抽選システム。
【発明の詳細な説明】
【技術分野】
【０００１】
本発明は、ネットワークを介して商品やサービスの抽選への参加申込を受付け、抽選を行い、その当選者に商品やサービスを提供する抽選システムに関するものである。
【背景技術】
【０００２】
近時、インターネットの普及に伴い、インターネット利用者の数も増大している。インターネットを利用して商品やサービスの提供を入手する方法として、インターネットショッピングや、インターネットオークション等がある。前記インターネットショッピングは、端末からインターネットを介して販売サイトのサーバシステムにアクセスし、欲しい商品やサービスを決めて、販売サイトに注文情報を送信し、代金を払って商品やサービスを入手する方法である。また、前記インターネットオークションは、端末からインターネットを介してオークションサイトのサーバシステムにアクセスし、欲しい商品を決めて、落札希望価格を含む落札希望情報をオークションサイトに送信し、商品落札後に、落札額を代金として支払って商品を入手する方法である。
【発明の開示】
【発明が解決しようとする課題】
【０００３】
前記インターネットショッピングには、次のような課題がある。
（１）通常店舗に比べ、人件費を抑えられるため、商品やサービスの販売価格をかなり低廉にすることも可能であるが、その価格にも限度があり、まとめ買い等をする事のない個人消費者が、商品やサービスを原価以下の価格で購入できることはまずあり得ない。
（２）一旦ユーザが購入を希望する商品やサービスを注文すると、その後は販売サイトにアクセスすることが少なくなるため、アクセス数が伸びず、バナー広告料等の収入があまり期待できない。
（３）ユーザの購買意欲を喚起するため、販売者は、定価より低い価格で商品やサービスを販売しなければならず、利幅が小さくなる場合がある。
【０００４】
前記インターネットオークションには、次のような課題がある。
（１）ユーザ同士で落札価格を競い合うため、商品をどうしても手に入れたいユーザが複数名いる場合や、希少価値のある商品等の場合には、落札価格が高騰しすぎるきらいがある。
（２）また、希望する商品やサービスの落札のために、ユーザが、落札するまで端末の前に居続けなければならない場合もある。
【課題を解決するための手段】
【０００５】
本発明は、多くのユーザが、参加料を前払いで支払って商品やサービスの抽選に参加し、その中から一部のユーザにしか当選しないため、ユーザが商品やサービスを格安で手に入れる事ができ、販売者が、商品やサービスを、十分な利幅が見込める額で販売することができ、売上げを前払いで抽選前に得ることができるネットワークを用いた抽選システムを提供するものである。
【０００６】
本発明のネットワークを用いた抽選システムの一は、次の１の構成を備え、２〜１１のステップを実行可能としたものである。
１．ユーザ端末と、ユーザ端末とネットワークを介して通信接続される抽選管理用のサーバシステムを備え、
２．ユーザが、ユーザ端末から前記サーバシステムにアクセスするステップと、
３．前記サーバシステムが、商品又はサービス（以下「商品」とする。）の抽選への参加に必要なポイントの販売画面をユーザ端末に表示するステップと、
４．ユーザが、商品の抽選への参加に必要なポイントを購入するポイント購入希望情報をサーバシステムに送信するステップと、
５．サーバシステムが、購入希望情報を受信した後に、ポイント購入に必要な料金が決済されるステップと、
６．サーバシステムが、決済後にユーザに希望数のポイントを付与するステップと、
７．サーバシステムが、商品選択画面をユーザ端末に表示するステップと、
８．ユーザが商品選択画面から抽選への参加を希望する商品を選択して抽選への参加希望情報をサーバシステムに送信するステップと、
９．前記参加希望情報を受信したサーバシステムが、ユーザの所有するポイントのうち当該商品の抽選への参加に必要なポイントと引換えに、当該商品の抽選参加権をユーザに付与するステップと、
１０．サーバシステムが、商品毎に、抽選開始日時、抽選開始定員、抽選開始ポイント等の抽選開始条件を管理し、抽選開始条件が充足されると抽選が実施されるステップと、
１１．抽選に当選したユーザに当選通知をするステップ又は／及び当選商品を提供するステップ。
【０００７】
本発明のネットワークを用いた抽選システムの他の一は、前記ネットワークを用いた抽選システムにおいて、次の１〜７のステップを実行可能としたものである。
１．サーバシステムにデータベースが設けられ、
２．サーバシステムから氏名、性別、年齢、商品の提供先の住所、メールアドレス、決済のためのクレジットカード番号等の個人情報を入力するための個人情報入力画面がユーザ端末に表示されるステップと、
３．ユーザが個人情報を入力してサーバシステムに送信するステップと
４．ユーザから送信された個人情報をデータベースに登録するステップと、
５．登録されたユーザ（以下「登録ユーザ」という。）の端末にサーバシステムからユーザＩＤ、パスワード等を通知するステップと、
６．サーバシステムが、ユーザからのサーバシステムへのアクセス時に、ユーザＩＤ、パスワード等の入力を求め、ユーザの入力したユーザＩＤ、パスワード等が登録ユーザのものか否かを認証し、登録ユーザであればアクセスを許可するステップと、
７．サーバシステムが、データベースでユーザ所有のポイントの増減、抽選参加履歴、抽選結果履歴等のユーザ情報を管理するステップ。
【０００８】
本発明のネットワークを用いた抽選システムは、サーバシステムから抽選の様子がユーザ端末に送られ、ユーザ端末でその様子を見ることができるようにすることもできる。
【０００９】
本発明のネットワークを用いた抽選システムは、商品選択画面に、商品が各種カテゴリ別に分類されて表示されるものとすることもできる。
【００１０】
本発明のネットワークを用いた抽選システムは、サーバシステムが、データベースに登録されている各ユーザの抽選の落選回数、通算抽選参加回数、通算ポイント購入額等の情報に応じて、ユーザに相当の数のサービスポイントを付与したり、当選率を上昇させたりする等の優遇措置を与えるものとすることもできる。
【発明の効果】
【００１１】
本発明のネットワークを用いた抽選システムは、ユーザが、ユーザ端末を操作して、商品やサービス（以下「商品」とする。）の抽選への参加に必要なポイントを購入し、購入したポイントと引換えに所望の商品の抽選参加権を取得し、サーバシステムが、商品毎に、抽選開始日時や抽選開始定員、抽選開始ポイント等の抽選開始条件を管理し、前記抽選開始条件を充足した場合に抽選を実施するので、次のような効果がある。
（１）多くのユーザが、参加料を前払いで支払って商品やサービスの抽選に参加し、その中から一部のユーザにしか当選しないため、ユーザが商品やサービスを格安で手に入れる事ができる。
（２）各ユーザに求める支払額が少額であるため、ユーザにとっては抽選に参加し易く、販売者が、商品やサービスを、十分な利幅が見込める価格帯で販売することができる。
（３）抽選参加権を取得したユーザが、抽選に参加した商品の抽選開始条件の充足状況や、抽選結果を気にして頻繁にサーバシステムにアクセスすることが期待できる。それに伴って、バナー広告料等の収入や、他の商品又はサービスの抽選への参加等も期待できる。
（４）ユーザは、抽選参加権を獲得すれば、端末の前でそれ以上の操作を続ける必要がないので、簡単に欲しい商品を入手することができる。
（５）ユーザがポイントを購入した時点で売上げが上がるため、売上げを抽選前に得ることができ、その売上げを新商品を仕入れるための資金とすることができるので、商品の入れ替えも迅速に行うこと等が可能となる。
（６）個人情報を送信したユーザをユーザ登録し、登録ユーザにユーザＩＤ、パスワード等を付与し、アクセス時の認証に用いるため、登録ユーザ以外の者のアクセスを許可しないため、登録ユーザの個人情報やプライバシーを十分に守ることができる。
（７）データベースに、ユーザの個人情報を登録し、ユーザ所有のポイントの増減や、抽選参加履歴、抽選結果履歴等を管理することができるので、利用頻度や人気商品の傾向等の市場調査を年代、性別などに応じて行うことができる。また、ユーザＩＤから個人情報を特定することができ、ポイントの増減や、抽選結果の通知等のユーザ毎の処理を迅速に行うことができる。
（８）抽選の様子をユーザ端末で見られるようにした場合は、抽選が公正に行われていることをユーザに知らしめることができ、ユーザを満足させることができる。
（９）商品選択画面に、商品を細かく各種カテゴリ毎に分類して表示した場合は、ユーザが欲しい商品を見つけ易く、ユーザがより抽選に参加し易くなる。
（１０）サーバシステムが、データベースに登録されている各ユーザの抽選の落選回数等の情報に応じて、ユーザに相当の数のサービスポイントを付与したり、当選率を上昇させたりする等の優遇措置を与える場合は、ユーザの抽選参加意欲が向上し、更に多くの抽選への参加が期待できる。
【発明を実施するための最良の形態】
【００１２】
（実施形態１）
本発明のネットワークを用いた抽選システムの実施形態を、図１〜図８に基づいて説明する。本実施形態のネットワークを用いた抽選システムのシステム構成を図１に基づいて説明する。本実施形態のネットワークを用いた抽選システムは、図１に示すように、各ユーザが操作を行うユーザ端末１と、そのユーザ端末１と、インターネット２を介して通信接続され、抽選に関する情報を提供するサーバシステム３とを備えて構成されている。本発明では、ネットワークにはインターネット２を用いているが、その他の通信ネットワークを用いることもできる。
【００１３】
前記ユーザ端末１は、インターネットの利用が可能なパソコン、携帯電話、コンビニエンスストア等に設置される端末等、入力装置を備え、且つネットワークの利用が可能なものであれば任意の端末を用いることができる。また、本実施形態では、ユーザ端末１は、更に静止画、動画、音楽等を表示、再生可能なものを用いている。
【００１４】
サーバシステム３は、図１に示すように、ユーザ端末１からインターネット２を介してアクセスされるコンピュータであって、内部又は外部に情報を登録するデータベース４が設けられ、情報を提供する手段と、データベース４に情報を登録させる手段とを有するものである。本発明のサーバシステム３は、Ｗｅｂサイトを形成し、Ｗｅｂサイトによって情報を提供している。図２は、本発明のサーバシステム３の構成を機能ブロックにて示した図である。同図に示すように、サーバシステム３は、次の各機能を実現する。新規ユーザをユーザ登録し、ユーザにユーザＩＤ、パスワード等を付与し、登録したユーザ（以下「登録ユーザ」とする。）の個人情報をデータベース４に登録させるユーザ登録機能５、ユーザがサーバシステム３にアクセスする際、ユーザに前記ユーザＩＤ、パスワード等を入力させ、登録ユーザか否かを認識し、登録ユーザであればアクセスを許可する登録ユーザ認識機能６、商品の抽選への参加に必要なポイントをユーザの希望に応じて販売するポイント販売機能７、抽選を行う商品を選択可能にユーザ端末１に表示し、ユーザの希望に応じて、ユーザの有するポイントと引換えに抽選参加権を付与する抽選参加受付機能８、商品毎に、抽選開始日時、抽選開始定員、抽選開始ポイント等の抽選開始条件を管理し、前記抽選開始条件を充足した場合に抽選を開始させる抽選開始条件管理機能９、公正な方法によって、実際に抽選を行い、またその様子をユーザに公表する抽選実施機能１０、抽選の結果を表示したり、ユーザに通知したりする結果発表機能１１等々。
【００１５】
サーバシステム３の前記ユーザ登録機能５は、上記のように新規ユーザをユーザ登録し、ユーザにユーザＩＤ、パスワード等を付与し、登録ユーザの個人情報をデータベース４に登録させる機能である。このユーザ登録機能５は、サーバシステム３を次のように働かせることができる。ユーザＩＤ、パスワード等を有さない新規ユーザがサーバシステム３にアクセスしようとすると、サーバシステム３は、新規ユーザのユーザ端末１に個人情報入力画面（図示しない）を表示させる。個人情報入力画面には、氏名、年齢、住所、商品の提供先の住所、メールアドレス、決済のためのクレジットカード番号等の個人情報を入力する入力欄が設けられている。ユーザは、ユーザ端末１を操作して入力欄に個人情報を記載し、サーバシステム３に送信する。サーバシステム３は、個人情報を受け取ると、その個人情報をデータベース４に登録し、ユーザＩＤ、パスワード等を付与し、ユーザに通知する。個人情報は、データベース４において、ユーザＩＤ毎に管理される。ユーザＩＤ、パスワード等の他にも、その他ユーザの認識が可能な認識情報や、商品の抽選に参加するための初期ポイントを付与すること等もできる。ユーザＩＤ、パスワードは、サーバシステム３がランダムに又は規則的に決定する。前記パスワードを省略して、ユーザＩＤのみを付与することもできる。
【００１６】
サーバシステム３の前記登録ユーザ認識機能６は、上記のように、ユーザが、サーバシステム３にアクセスする際、ユーザに前記ユーザＩＤ、パスワード等を入力させ、登録ユーザか否かを認識し、登録ユーザのみにアクセスを許可する機能である。この登録ユーザ認識機能６は、サーバシステム３を次のように働かせる。サーバシステム３は、ユーザがサーバシステム３にアクセスする際に、ユーザ端末１にＩＤ、パスワード等入力画面（図示しない）を表示させる。ＩＤ、パスワード等入力画面には、ＩＤ、パスワード等の入力欄が設けられている。ユーザは、ユーザ端末１を操作して入力欄にＩＤ、パスワード等を入力し、サーバシステム３に送信する。サーバシステム３は、ユーザが入力したＩＤ、パスワード等を受け取ると、データベース４に登録されている登録ユーザのＩＤ、パスワード等の中に一致するものがあるか否かを確認する。サーバシステム３は、ユーザが入力したＩＤ、パスワード等が、データベース４内の登録ユーザのＩＤ、パスワード等と一致すれば、ユーザを登録ユーザと認証し、アクセスを許可し、ユーザ端末１に、図６に示すようなメイン画面を表示する。ユーザがサーバシステム３にアクセスした際には、アクセスの時刻や通算回数等の履歴情報は、データベース４に登録される。前記メイン画面には、図６に示すように、商品選択画面（図７参照）、参加中の抽選のチェック画面（図８参照）、抽選鑑賞画面、結果発表画面、ポイント販売画面等の各画面へのリンク１２が設けらている。また、メイン画面には、図６に示すように、バナー広告５０や、その他の画面へのリンクなどを設けることもできる。
【００１７】
サーバシステム３の前記ポイント販売機能７は、上記のように、商品の抽選への参加に必要なポイントをユーザの希望に応じて販売する機能である。このポイント販売機能７は、サーバシステム３を次のように働かせる。メイン画面において、ユーザがポイント販売画面へアクセスすると、サーバシステム３は、ユーザ端末１にポイント販売画面（図示しない）を表示する。ポイント販売画面には、例えば「１０００円→１１００ポイント」「５０００円→５５００ポイント」のように、価格に応じたポイント数が表示され、ユーザの購入希望金額又は購入希望ポイント数を入力する入力欄が設けられている。ユーザは、ユーザ端末１を操作して入力欄に購入希望金額又は購入希望ポイント数を入力し、サーバシステム３に購入希望情報として送信する。送信後、ユーザは、必要金額を、郵便振替、銀行振込、コンビニ振込、クレジットカード等任意の方法によって決済する。決済が確認されると、サーバシステム３がユーザに希望数のポイントを付与する。各ユーザのポイントの増減は、データベース４に登録される。
【００１８】
サーバシステム３の前記抽選参加受付機能８は、上記のように、抽選を行う商品を選択可能にユーザ端末１に表示し、ユーザの希望に応じて、ユーザの有するポイントと引換えに抽選参加権をユーザに付与する機能である。この抽選参加受付機能８は、サーバシステム３を次のように働かせる。メイン画面から、ユーザが商品選択画面へアクセスすると、サーバシステム３は、ユーザ端末１に図７に示すような商品選択画面を表示する。
【００１９】
商品選択画面は、図７に示すように、各商品を、コンピュータ、家電・ＡＶ・カメラ、音楽、本・雑誌、映画・ビデオ、おもちゃ・ゲーム、旅行、自動車・オートバイ等、細かく各種カテゴリ別に分類して表示している。また、注目の商品を、お勧め商品、新入荷商品、セール品、希少価値のある商品等のカテゴリ別に分類して表示することもできる。ユーザがユーザ端末１を操作して、希望の商品を選択すると、図７に示すように、その商品の詳細情報が表示される。表示される詳細情報には、商品番号、商品名、抽選開始条件（抽選開始ポイント、抽選予定日時、抽選最大定員、抽選開始定員、抽選参加に必要なポイント等）、現在の抽選開始条件の充足状況（現在の参加人数、現在までに集まったポイント数、抽選開始までに必要なポイント数、抽選開始までの残り時刻等）、参加ボタン２０及びキャンセルボタン２１等が含まれる。表示する詳細情報には、商品の市場価格やその他の抽選に関する情報（商品の人気、当選者数等）等、任意の情報を表示することができる。
【００２０】
ユーザが、詳細情報を表示した商品の抽選への参加を希望する場合、参加ボタン２０を押す。ユーザが参加ボタン２０を押すと、ユーザ端末１から参加希望情報がサーバシステム３に送信される。参加希望情報を受け取ったサーバシステム３は、そのユーザの所持する総ポイントから、抽選への参加に必要なポイントを引き、抽選参加権をユーザに付与し、その商品の抽選への参加が完了したことを通知する。ユーザの所持する総ポイントが、抽選への参加に必要なポイントに満たない場合は、抽選参加権をユーザに付与せず、その旨をユーザに通知する。各ユーザの抽選参加履歴やポイントの増減等の情報は、各ユーザ毎にデータベース４に登録される。
【００２１】
サーバシステム３の抽選開始条件管理機能９は、上記のように、商品毎に、抽選開始日時や抽選開始定員、抽選開始ポイント等の抽選開始条件を管理し、前記抽選開始条件を充足した場合に抽選を開始させる機能である。この抽選開始条件管理機能９は、サーバシステム３を次のように働かせる。サーバシステム３は、各商品につき、定められた抽選開始条件（抽選開始ポイント、抽選予定日時、抽選最大定員、抽選開始定員、抽選参加に必要なポイント等）と、現在の抽選開始条件の充足状況（現在の参加人数、現在までに集まったポイント数、抽選開始までに必要なポイント数、抽選開始までの残り時刻等）を管理する。メイン画面において、ユーザが参加中の抽選のチェック画面へアクセスすると、サーバシステム３は、ユーザ端末１に図８に示すようなチェック画面を表示する。図８に示すチェック画面には、その登録ユーザが現在抽選参加権を保持している商品の抽選開始条件及び現在の抽選開始条件の充足状況が詳細に表示されている。従って、ユーザが抽選参加権を持っている商品の抽選開始条件の充足状況を確認することができる。サーバシステム３は、ある商品の抽選開始条件が所定割合満たされた場合、その商品の抽選参加権を有するユーザに、抽選が間もなく行われる旨や抽選予定時刻等を通知することもできる。サーバシステム３は、抽選開始条件が充足された場合は、抽選実施機能に抽選を開始させる信号を送信する。抽選開始条件が充足された場合とは、例えば、抽選開始ポイント数が集まった状態で抽選予定日時を迎えたこと等がある。抽選開始条件が充足されなかった場合には、抽選を行わない旨を、その商品の抽選参加権を持つユーザに通知し、各ユーザにポイントを返還する。抽選開始条件が充足されなかった場合とは、例えば、抽選開始ポイント数が集まらない状態で抽選開始日時を迎えたこと等がある。ポイントの返還は、データベース４に登録される。
【００２２】
サーバシステム３の抽選実施機能１０は、上記のように、公正な方法によって、実際に抽選を行い、またその様子をユーザに公表する機能である。この抽選実施機能１０は、サーバシステム３を次のように働かせる。サーバシステム３は、各商品について抽選開始条件が充足され、抽選開始条件管理機能から抽選を開始させる信号を受信すると、抽選を開始する。抽選の方法は、くじ、ルーレット、スロットマシン等、公正な方法であれば任意の方法によることができる。抽選は、サーバシステム３内でコンピュータによる抽選を行い、その様子をユーザ端末１に表示することも、実際にくじ、ルーレット、スロットマシン等を用いて抽選を行い、その様子を中継し、ユーザ端末１に表示することもできる。抽選の様子は、各商品毎にユーザ端末１に表示することもできる。メイン画面において、ユーザが抽選鑑賞画面へアクセスすると、サーバシステム３は、ユーザ端末１に抽選鑑賞画面を表示する。抽選鑑賞画面では、上記の抽選の様子が表示される。従って、ユーザが抽選の様子を随時見ることができる。抽選の結果が出ると、その抽選結果はデータベース４に登録される。
【００２３】
サーバシステム３の結果発表機能１１は、上記のように抽選の結果を表示したり、ユーザに通知したりする機能である。この結果発表機能１１は、サーバシステム３を次のように働かせる。サーバシステム３は、抽選結果が出ると、その抽選結果を抽選を行った商品の抽選参加権を有するユーザの全員又は希望するユーザに電子メール等によって通知する。また、サーバシステム３は、メイン画面からユーザが抽選結果画面へアクセスすると、抽選結果を表示した抽選結果画面をユーザ端末に表示する。表示される抽選結果は、商品のカテゴリ別に分類して表示したり、検索機能を付して検索したりすること等もできる。また、サーバシステム３は、抽選結果を郵便によってユーザに知らせるよう通知を行うことも可能である。また、サーバシステム３は、当選者の決まった商品を、データベース４に登録された当選者の住所に提供できるように、商品の提供者、配送者等に当選情報を連絡することもできる。その場合、商品の当選を、発送をもって代えることもできる
【００２４】
本発明のネットワークを用いた抽選システムにおいては、サーバシステム３が、データベース４に登録されている各ユーザの抽選の落選回数、通算抽選参加回数、通算ポイント購入額等の情報に応じて、相当の数のサービスポイントを付与したり、当選率を上昇させたりする等の優遇措置を与えることもできる。従って、例えば五回連続で落選したユーザには、５００ポイントを付与すること等が可能となる。
【００２５】
（ネットワークを用いた抽選システムの実行例）
本発明のネットワークを用いた抽選システムを実行させた場合の実行例について、図３〜図５のフローチャートを用いて説明する。
【００２６】
（サーバシステムへのアクセス及びユーザ登録の実行例）
図３は、本発明のネットワークを用いた抽選システムのサーバシステムへのアクセス及びユーザ登録を実行する流れを示すフローチャートである。ユーザ端末１から、サーバシステム３にアクセスがあると（Ｓ１）、サーバシステム３は、ユーザ端末１にＩＤ、パスワード等入力画面を表示し、ユーザＩＤ、パスワード等の入力を求める（Ｓ２）。
【００２７】
ユーザが、既に登録ユーザである場合（Ｓ２：Ｙ）は、ＩＤ、パスワード等入力画面の入力欄にＩＤ、パスワード等を入力する（Ｓ３）。サーバシステム３は、入力されたＩＤ、パスワード等が登録ユーザのものであるか否かをデータベース４に登録された登録ユーザのデータを参照して確認し（Ｓ４）、ユーザを登録ユーザとして認証した場合（Ｓ４：Ｙ）は、ユーザ端末１にメイン画面を表示する（Ｓ５）。また、ユーザが新規ユーザである場合（Ｓ２：Ｎ）は、サーバシステム３は、ユーザ端末１に個人情報入力画面を表示し、ユーザに個人情報の入力を求める（Ｓ６）。ユーザは個人情報を入力欄に入力し、サーバシステム３に送信する（Ｓ６）。サーバシステム３は、個人情報を受け取ると、その個人情報をユーザ登録し、ユーザＩＤ、パスワード等を付与し、ユーザに通知する（Ｓ７）。サーバシステム３は、受け取った個人情報を、ユーザＩＤ毎に対応させてデータベース４に登録させる。ユーザが登録されると、サーバシステム３はユーザ端末１にメイン画面を表示する（Ｓ５）。もっとも、図３中破線矢印に示すように、ユーザ登録後に、再度ユーザＩＤ、パスワード等入力画面を表示し、ＩＤ、パスワード等の入力を求めることもできる（Ｓ２）。
【００２８】
（ポイント購入の実行例）
図４は、本発明のネットワークを用いた抽選システムのポイント購入を実行する流れを示すフローチャートである。メイン画面（Ｓ５）から、ユーザがポイント販売画面へアクセスすると、サーバシステム３は、ユーザ端末１にポイント販売画面を表示する（Ｓ８）。ユーザは、ポイント販売画面の入力欄に購入希望金額又は購入希望ポイント数を入力し、送信する（Ｓ９）。その後、ユーザが必要金額を、郵便振替、銀行振込、コンビニ振込、クレジットカード等任意の方法によって決済し（Ｓ９）、決済が確認されると、サーバシステム３がユーザに希望数のポイントを付与する（Ｓ１０）。各ユーザのポイントの増減は、データベース４に登録される。
【００２９】
（抽選参加及び抽選の実行例）
図５は、本発明のネットワークを用いた抽選システムの抽選参加及び抽選を実行する流れを示すフローチャートである。メイン画面（Ｓ５）から、ユーザが商品選択画面へアクセスすると、サーバシステム３は、ユーザ端末１に図７に示すような商品選択画面を表示する。ユーザは希望の商品を検索して選択し、商品選択画面の参加ボタン２０を押して参加希望情報をサーバシステム３に送信する（Ｓ１１）。参加希望情報を受け取ったサーバシステム３は、そのユーザの所持する総ポイントから、抽選への参加に必要なポイントを引き、抽選参加権をユーザに付与し、その商品の抽選への参加が完了したことを通知する（Ｓ１２）。サーバシステム３は、その商品について、抽選開始条件を管理し、抽選開始条件を充足するか否かをチェックする（Ｓ１３）。抽選開始条件の充足状況は、参加中の抽選のチェック画面（図８）に表示され、ユーザは随時チェックすることができる。
【００３０】
抽選開始条件が充足された場合（Ｓ１３：Ｙ）は、サーバシステム３は、前記抽選実施機能に抽選を開始させる（Ｓ１４）。抽選の様子は、抽選鑑賞画面に表示され、ユーザが見ることができる。抽選結果が出ると、サーバシステム３は、その抽選結果を、抽選を行った商品の抽選参加権を有するユーザの全員又は希望するユーザに電子メール等によって通知する。また、サーバシステム３は抽選結果画面に抽選結果を公表し、各ユーザが閲覧できるようにする（Ｓ１５）。サーバシステム３は、当選者に当選の連絡をし、更に、商品を、データベース４に登録された住所に提供できるように、商品の提供者、配送者等（図示しない）に当選情報を連絡する（Ｓ１６）。
【００３１】
抽選開始条件が充足されなかった場合（Ｓ１３：Ｎ）には、サーバシステム３は、抽選を行わない（Ｓ１７）。サーバシステム３は、抽選を行わない旨を、その商品の抽選参加権を持つユーザに通知し、各ユーザにポイントを返還する（Ｓ１８）。
【００３２】
（実施形態２）
本発明のネットワークを用いた抽選システムにおいては、ポイントの購入は、前記実施形態１に記載のポイント販売画面において購入希望金額又は購入希望ポイント数を入力し、その後決済を行う方法には限られない。金額に応じたポイント数が記載されたプリペイド型ポイントカードを先に店頭で購入し、カードに記載されたパスワードをポイント販売画面で入力すると、カードに記載されたポイント数が付加される、前払い方式とすることもできる。ポイントカードは、販売時にはそのパスワードが読めないように被覆等されている。ポイントカードに記載されたパスワードは、一度ポイント販売画面で入力すると、データベース４に登録され、二度と使用できないようにしてある。
【産業上の利用可能性】
【００３３】
本発明のネットワークを用いた抽選システムは、抽選のみならず、複数人が共同出資して商品を購入するシステム等にも応用することができる。
【図面の簡単な説明】
【００３４】
【図１】本発明のネットワークを用いた抽選システムの実施形態の一のシステム構成を示す図である。
【図２】本発明のネットワークを用いた抽選システムのサーバシステムの構成を機能ブロックにて示した図である。
【図３】本発明のネットワークを用いた抽選システムのサーバシステムへのアクセス及びユーザ登録を実行する流れを示すフローチャート
【図４】本発明のネットワークを用いた抽選システムのポイント購入を実行する流れを示すフローチャートである。
【図５】本発明のネットワークを用いた抽選システムの抽選参加及び抽選を実行する流れを示すフローチャートである。
【図６】本発明のネットワークを用いた抽選システムのメイン画面を示す説明図。
【図７】本発明のネットワークを用いた抽選システムの商品選択画面を示す説明図。
【図８】本発明のネットワークを用いた抽選システムの参加中の抽選のチェック画面を示す説明図。
【符号の説明】
【００３５】
１  ユーザ端末
２  インターネット
３  サーバシステム
４  データベース
５  ユーザ登録機能
６  登録ユーザ認識機能
７  ポイント販売機能
８  抽選参加受付機能
９  抽選開始条件管理機能
１０  抽選実施機能
１１  結果発表機能
【図１】
2006139653.tif 000003
【図２】
2006139653.tif 000004
【図３】
2006139653.tif 000005
【図４】
2006139653.tif 000006
【図５】
2006139653.tif 000007
【図６】
2006139653.tif 000008
【図７】
2006139653.tif 000009
【図８】
2006139653.tif 000010